(57)【要約】【課題】長時間にわたり継続して所定の保冷温度を確実に維持する配送品の配送用保冷容器を提供する。【解決手段】いずれも断熱材からなる上方を開放した箱形の容器本体１と容器本体１に被せる蓋体２とで構成し、蓋体２は、枠板状の蓋本体３と、蓋本体３の上下に着脱自在に組み付ける上蓋４および下蓋５とで箱状に形成し、内部にドライアイスＤを収納する冷気供給室Ｓを設けるとともに、下蓋５を蓄冷体で形成し、蓄冷体に、冷気供給室Ｓ内の冷気を容器本体１側へ送給する通気用の開口６を設ける。【選択図】　　　　図１
2004043020.tif 000002
【特許請求の範囲】
【請求項１】
いずれも断熱材からなる上方を開放した箱形の容器本体と該容器本体に被せる蓋体とで構成され、配送品をドライアイスで保冷しながら収納する配送用保冷容器において、
前記蓋体は、枠板状の蓋本体と、その蓋本体の上下に着脱自在に組み付ける上蓋および下蓋とで箱状に形成して内部に前記ドライアイスを収納する冷気供給室を設けるとともに、
前記下蓋を蓄冷体で形成し、該蓄冷体に、前記冷気供給室内の冷気を前記容器本体側へ送給する通気用の開口を設けてなることを特徴とする、配送用保冷容器。
【請求項２】
いずれも断熱材からなる上方を開放した箱形の容器本体と該容器本体に被せる蓋体とで構成され、配送品をドライアイスで保冷しながら収納する配送用保冷容器において、
前記蓋体は、枠板状の蓋本体と、その蓋本体の上下に着脱自在に組み付ける上蓋および下蓋とで箱状に形成し、内部に前記ドライアイスを収納する冷気供給室を設けるとともに、前記下蓋をアルミニウム製の熱伝導板で形成し、
前記容器本体の内壁面には、蓄冷体を間に挟んでアルミニウム製の熱伝導板を組み付けてなることを特徴とする、配送用保冷容器。
【請求項３】
いずれも断熱材からなる上方を開放した箱形の容器本体と該容器本体に被せる蓋体とで構成され、配送品をドライアイスで保冷しながら収納する配送用保冷容器において、
前記蓋体は、枠板状の蓋本体と、その蓋本体の上下に着脱自在に組み付ける上蓋および下蓋とで箱状に形成し、内部に前記ドライアイスを収納する冷気供給室を設けるとともに、前記下蓋を蓄冷体で形成し、該蓄冷体に、前記冷気供給室内の冷気を前記容器本体側へ送給する通気用の開口を設けて構成する一方、
前記容器本体の内壁面には、蓄冷体を間に挟んでアルミニウム製の熱伝導板を組み付けてなることを特徴とする、配送用保冷容器。
【請求項４】
前記容器本体に前記蓋体を被せたとき、該蓋体の前記下蓋と前記容器本体内の前記熱伝導板とが一部接触する構造であることを特徴とする、請求項２又は３に記載の配送用保冷容器。
【請求項５】
いずれも断熱材からなる上方を開放した箱形の容器本体と該容器本体に被せる蓋体とで構成され、配送品をドライアイスで保冷しながら収納する配送用保冷容器において、
前記蓋体は、上方を開放した箱形の蓋本体と、その蓋本体の上開放部に被せて着脱自在に組み付ける板状の上蓋とで形成し、内部に前記ドライアイスを収納する冷気供給室を設けるとともに、前記蓋本体の下蓋部に、前記冷気供給室内の冷気を前記容器本体側へ送給する通気用の開口を設けて構成する一方、
前記容器本体の内壁面には、蓄冷体を間に挟んでアルミニウム製の熱伝導板を組み付けてなることを特徴とする、配送用保冷容器。
【請求項６】
樹脂製の断熱カバーを開閉可能に被せて全体を覆ってなることを特徴とする、請求項１乃至５に記載の配送用保冷容器。
【請求項７】
いずれも発泡断熱材からなる上方を開放した箱形の容器本体と該容器本体に被せる蓋体とで構成され、配送品をドライアイスで保冷しながら収納する配送用保冷容器において、
前記蓋体は、上方を開放した箱形の中蓋と、その中蓋の上開放部に被せる上蓋とで形成する一方、ドライアイスをのせる中蓋の下蓋部をアルミニウム製の熱伝導板で構成し、その熱伝導板で仕切って蓋体内に冷気供給室を形成するとともに、
それら中蓋および上蓋と前記容器本体を、各々の発泡断熱材に対応する外形状の外装ケースに嵌め付けた構造にし、相互にヒンジ手段で連結して容器本体に対し中蓋を、中蓋に対し上蓋を個別に開閉自在とする一方、
前記容器本体は、その発泡断熱材を外装ケースに対し接合面に僅かな間隙を介在させて嵌め付け、発泡断熱材と外装ケース間に気密に空気層を形成してなることを特徴とする、配送用保冷容器。
【請求項８】
前記ヒンジ手段を、前記容器本体と前記中蓋および前記上蓋に、それぞれ紐掛け部を設け、それら紐掛け部間に掛け渡した紐部材を結合して構成してなることを特徴とする、請求項７に記載の配送用保冷容器。
【請求項９】
前記容器本体の前記発泡断熱材の内壁面に、前記冷気供給室内から下降する冷気を案内するガイド溝を設けてなることを特徴とする、請求項７又は８に記載の配送用保冷容器。
【請求項１０】
前記容器本体に対し前記中蓋を止める留め具と、中蓋に対し前記上蓋を止める留め具を着脱自在に取り付けて取り替え可能とする一方、それら留め具の色を違えて、収納した配送品の種類を識別してなることを特徴とする、請求項７、８又は９に記載の配送用保冷容器。
【発明の詳細な説明】
【０００１】
【発明の属する技術分野】本発明は、宅配便などで冷凍食品のような配送品を、ドライアイスと一緒に入れて保冷しながら配送する場合に使用される配送用保冷容器に関する。
【０００２】
【従来の技術】従来、この種の配送用保冷容器は、軽量で断熱性に富む発泡スチロール製の箱本体に、同じ発泡スチロール製の板状蓋体を被せたものが一般的である。そして、この保冷容器に、配送品を所定の低温に保冷すべくドライアイスと一緒に収納し、たとえば輸送用車両に積載して宅配便などで目的地へ配送されている。
【０００３】
【発明が解決しようとする課題】ところが、従来、配送品を保冷容器に収納して遠隔地へ配送する場合は、通常、配送品の集配作業店や輸送中継店などで、輸送用車両から保冷容器の積替えや荷卸し作業が必要であり、その都度、外気などの常温下に曝されやすく、これによって、従来の配送用保冷容器では、届け先まで一定の保冷温度を確実に維持することが困難であるという課題があった。
【０００４】
しかも、届け先が不在で持ち戻りの場合など、配送品を一時保管することが必要な場合には、輸送時間に保管時間を加えた長時間にわたり、一定の低温に保冷状態を維持する必要があるが、そのためには、随時、容器本体を開放してドライアイスを補給しなければならない。これでは、ドライアイスの使用量が増大し、その補給作業も面倒であるという問題があり、しかも、蓋体を開けるたびに冷気が逃げるため、鮮度保持の点でも問題がある。また、ドライアイスの補給時に、配送品にも手が触れやすく、それが食材などの場合に不衛生であるという問題もある。さらには、容器本体内で配送品をドライアイスと一緒に収納して直接冷却するため、ドライアイスが接触する箇所と接触しない箇所とで商品の配送品に冷却ムラを生じたりして商品価値が低下するなどの弊害が発生するという課題もあった。
【０００５】
そこで、本発明の目的は、従来課題であった上述のような諸問題を解消し、長時間にわたり継続して所定の保冷温度を確実に維持する配送用保冷容器を提供することにある。
【０００６】
【課題を解決するための手段】そのため、上記目的を達成すべく、請求項１に記載の発明は、たとえば以下に図面を用いて説明する実施の形態に示すとおり、いずれも断熱材からなる上方を開放した箱形の容器本体１と該容器本体１に被せる蓋体２とで構成され、配送品ＣをドライアイスＤで保冷しながら収納する配送用保冷容器Ａ１において、前記蓋体２は、枠板状の蓋本体３と、その蓋本体３の上下に着脱自在に組み付ける上蓋４および下蓋５とで箱状に形成して内部に前記ドライアイスＤを収納する冷気供給室Ｓを設けるとともに、前記下蓋５を蓄冷体で形成し、該蓄冷体５に、前記冷気供給室Ｓ内の冷気を前記容器本体１側へ送給する通気用の開口６を設けてなることを特徴とする。
【０００７】
請求項２に記載の発明は、たとえば以下に図面を用いて説明する実施の形態に示すとおり、いずれも断熱材からなる上方を開放した箱形の容器本体１と該容器本体１に被せる蓋体２とで構成され、配送品ＣをドライアイスＤで保冷しながら収納する配送用保冷容器Ａ２において、前記蓋体２は、枠板状の蓋本体３と、その蓋本体３の上下に着脱自在に組み付ける上蓋４および下蓋５とで箱状に形成し、内部に前記ドライアイスＤを収納する冷気供給室Ｓを設けるとともに、前記下蓋５をアルミニウム製の熱伝導板で形成し、前記容器本体１の内壁面１ｂには、蓄冷体１０を間に挟んでアルミニウム製の熱伝導板１１を組み付けてなることを特徴とする。
【０００８】
請求項３に記載の発明は、たとえば以下に図面を用いて説明する実施の形態に示すとおり、いずれも断熱材からなる上方を開放した箱形の容器本体１と該容器本体１に被せる蓋体２とで構成され、配送品ＣをドライアイスＤで保冷しながら収納する配送用保冷容器Ａ３において、前記蓋体２は、枠板状の蓋本体３と、その蓋本体３の上下に着脱自在に組み付ける上蓋４および下蓋５とで箱状に形成し、内部に前記ドライアイスＤを収納する冷気供給室Ｓを設けるとともに、前記下蓋５を蓄冷体で形成し、該蓄冷体５に、前記冷気供給室Ｓ内の冷気を前記容器本体１側へ送給する通気用の開口６を設けて構成する一方、前記容器本体１の内壁面１ｂには、蓄冷体１０を間に挟んでアルミニウム製の熱伝導板１１を組み付けてなることを特徴とする。
【０００９】
請求項４に記載の発明は、請求項２又は３に記載の配送用保冷容器Ａ２・Ａ３において、たとえば以下に図面を用いて説明する実施の形態に示すとおり、前記容器本体１に前記蓋体２を被せたとき、該蓋体２の前記下蓋５と前記容器本体１内の前記熱伝導板１１とが一部接触する構造であることを特徴とする。
【００１０】
請求項５に記載の発明は、たとえば以下に図面を用いて説明する実施の形態に示すとおり、いずれも断熱材からなる上方を開放した箱形の容器本体１と該容器本体１に被せる蓋体２とで構成され、配送品ＣをドライアイスＤで保冷しながら収納する配送用保冷容器Ａ４において、前記蓋体２は、上方を開放した箱形の蓋本体３と、その蓋本体３の上開放部に被せて着脱自在に組み付ける板状の上蓋４とで形成し、内部に前記ドライアイスＤを収納する冷気供給室Ｓを設けるとともに、前記蓋本体３の下蓋部３ｆに、前記冷気供給室Ｓ内の冷気を前記容器本体１側へ送給する通気用の開口６を設けて構成する一方、前記容器本体１の内壁面１ｂには、蓄冷体１０を間に挟んでアルミニウム製の熱伝導板１１を組み付けてなることを特徴とする。
【００１１】
請求項６に記載の発明は、請求項１乃至５に記載の配送用保冷容器において、たとえば以下に図面を用いて説明する実施の形態に示すとおり、樹脂製の断熱カバー１５を開閉可能に被せて全体を覆ってなることを特徴とする。
【００１２】
請求項７に記載の発明は、たとえば以下に図面を用いて説明する実施の形態に示すとおり、いずれも発泡断熱材からなる上方を開放した箱形の容器本体２０と該容器本体２０に被せる蓋体２１とで構成され、配送品ＣをドライアイスＤで保冷しながら収納する配送用保冷容器Ａ５において、前記蓋体２１は、上方を開放した箱形の中蓋２２と、その中蓋２２の上開放部に被せる上蓋２３とで形成する一方、ドライアイスＤをのせる中蓋２２の下蓋部をアルミニウム製の熱伝導板３５で構成し、その熱伝導板３５で仕切って蓋体２１内に冷気供給室Ｓを形成するとともに、それら中蓋２２および上蓋２３と前記容器本体２０を、各々の発泡断熱材２４・２５・２６に対応する外形状の外装ケース２７・２８・２９に嵌め付けた構造にし、相互にヒンジ手段３０で連結して容器本体２０に対し中蓋２２を、中蓋２２に対し上蓋２３を個別に開閉自在とする一方、前記容器本体２０は、その発泡断熱材２４を外装ケース２７に対し接合面に僅かな間隙を介在させて嵌め付け、発泡断熱材２４と外装ケース２７間に気密に空気層ｄを形成してなることを特徴とする。
【００１３】
請求項８に記載の発明は、請求項７に記載の配送用保冷容器Ａ５において、たとえば以下に図面を用いて説明する実施の形態に示すとおり、前記ヒンジ手段３０を、前記容器本体２０と前記中蓋２２および前記上蓋２３に、それぞれ紐掛け部４９を設け、それら紐掛け部４９間に掛け渡した紐部材５０を結合して構成してなることを特徴とする。
【００１４】
請求項９に記載の発明は、請求項７又は８に記載の配送用保冷容器Ａ５において、たとえば以下に図面を用いて説明する実施の形態に示すとおり、前記容器本体２０の前記発泡断熱材２４の内壁面に、前記冷気供給室Ｓ内から下降する冷気を案内するガイド溝２４ｃを設けてなることを特徴とする。
【００１５】
請求項１０に記載の発明は、請求項７、８又は９に記載の配送用保冷容器Ａ５において、たとえば以下に図面を用いて説明する実施の形態に示すとおり、前記容器本体２０に対し前記中蓋２２を止める留め具３９と、中蓋２２に対し前記上蓋２３を止める留め具４０を着脱自在に取り付けて取り替え可能とする一方、それら留め具３９・４０の色を違えて、収納した配送品Ｃの種類を識別してなることを特徴とする。
【００１６】
【発明の実施の形態】以下、図面を参照しつつ、本発明の実施の形態について詳細に説明する。
【００１７】
図１は、本発明による配送用保冷容器の一例を示す縦断面図、図２はその分解斜視図、図３は容器本体と蓋体の２つに分割して示す斜視図、図４は全体の組立外観斜視図である。
【００１８】
この例の配送用保冷容器は、全体を符号Ａ１で示すとおり、容器本体１と蓋体２とからなる。そのうち容器本体１は、断熱材を材料として上方開放型の箱形状につくり、上端面の内縁に沿って凸条の係合リブ１ａを形成してなる。断熱材としては、たとえば軽量で且つ安価な発泡材を用いる。各種発泡材の中でも、軽量且つ安価な点で、発泡スチロールなどでも良いが、耐磨耗性・耐衝撃性の点でも優れた発泡ポリプロピレンを使用することが望ましい。図示例では、たとえば発泡倍率４５倍の発泡ポリプロピレンを材料として用い、長さ約３６０ｍｍ・幅約２７０ｍｍ・高さ約１６０ｍｍ・厚さ約３０ｍｍの四角い箱形に、容器本体１を作製する。
【００１９】
一方、蓋体２は、蓋本体３と上蓋４および下蓋５の３つに分割した構成部品からなる。そのうちの蓋本体３および上蓋４は、容器本体１と同じ断熱材、たとえば上記発泡ポリプロピレンを用いて形成する一方、下蓋５は、特に蓄冷体で形成してなる。
【００２０】
蓋本体３は、厚さ約３０ｍｍで矩形の枠板状につくり、上端面の内縁に沿って凸条の係合リブ３ａを形成する一方、下端面の外縁に沿って凸条の係合リブ３ｂを形成してなる。また、内壁面３ｃには、その図中下縁に沿って凸条の蓋受けリブ３ｄを設けてなる。
【００２１】
上蓋４は、厚さ約１５ｍｍの矩形平板状につくり、下面の端縁に、蓋本体３の係合リブ３ａと対応する凸条の係合リブ４ａを設けてなる。
【００２２】
蓄冷体からなる下蓋５は、たとえば樹脂製の中空容器内に公知の液状蓄冷剤を封入したもので、蓋本体３の内寸に合わせた長さと幅サイズで、厚さ約３５ｍｍの矩形平板状に成形されている。そして、下蓋５には、特に、上記中空容器を成形して複数の貫通穴を設け、これらを通気用の開口６として形成してなる。なお、蓄冷体は、図示しないが、上記中空容器の外表面に多数の長溝を設けて表面凹凸形状に成形し、これにより、強度を高めると共に冷却効率を上げるように構成するとよい。
【００２３】
そこで、蓋体２は、この下蓋５を蓋本体３の蓋受けリブ３ｄ上に載置する一方、係合リブ３ａに係合リブ４ａを係合させて蓋本体３上に上蓋４を被せ、全体に箱状に組み立ててなる。そして、この箱形の蓋体２内に、ドライアイスＤを下蓋５上に乗せて収納する冷気供給室Ｓを形成する。なお、蓋体２の蓋本体３には、蓄冷体の下蓋５が、持ち運び時に浮き上がってがたつくことを防止するために、押え用のリブ（図示省略）を、内壁面３ｃにおける蓋受けリブ３ｄの上側に設ける構成にするとよい。
【００２４】
さて、上述した構成の配送用保冷容器Ａ１を用いて、配送品Ｃ、例えば贈答用のアイスクリームなどを宅配便にて配送する場合は、上蓋４を開けてドライアイスＤを下蓋５上に乗せ、冷気供給室Ｓ内に予め入れておく。一方、集荷先にて、配送品Ｃを容器本体１内に入れ、係合リブ１ａに係合リブ３ｂを係合させて蓋体２を容器本体１に被せ、容器本体１を持って配送用保冷容器Ａ１を運ぶ。そして、輸送用車両に積載し、たとえば集荷作業店から適宜中継店・配達作業店へと継送して遠隔の届け先へと配送品Ｃを配達する。
【００２５】
このとき、配送用保冷容器Ａ１では、配送品Ｃの集荷から配達までの輸送時間の間、ドライアイスＤだけでなく、蓄冷体（下蓋）５から発生する冷気が、直接下方へ送給されると共に、図１中矢示する如く冷気供給室Ｓ内から通気用の開口６を通って下降し、容器本体１内へと送給される。しかも、その間、冷気供給室Ｓ内では、互いに接触したドライアイスＤからその冷熱が蓄冷体５にも伝わって冷蓄能力が、随時高められている。したがって、配送用保冷容器Ａ１では、配送途中の積替えや荷卸し作業時にたびたび常温下に曝されることがあっても、２４時間以上の長時間にわたり継続して所定保冷温度、例えば−２３℃或いはそれ以下の所定低温に維持される。
【００２６】
また、仮に届け先不在のため持ち戻り、保冷必要期間が更に延長された場合であっても、そのまま所定の保冷温度を保持することができる。このように保冷必要期間が延長された結果、例外的にドライアイスＤを補給する必要がある場合には、蓋体２の上蓋４を開けてドライアイスＤを入れる。そのとき、容器本体１は開放されないため、冷気を逃がすことがなく、その結果、依然として所定の保冷温度は保持される。しかも、このドライアイス補給時に、配送品Ｃには手を触れなくて済み、衛生的である。
【００２７】
なお、不用となった配送用保冷容器は、廃棄することなく、届け先にて回収し、配達作業店から所定の容器ストック施設を経て、所定の容器洗浄施設に集約し、そこで洗浄して後、再び新たな配送用保冷容器としてリユースするようにする。
【００２８】
ところで、本発明は、上述した配送用保冷容器Ａ１に代え、たとえば図５〜図８に示すように、それぞれ異なる構成にすることができる。なお、以下に例示する他の配送用保冷容器において、上記配送用保冷容器Ａ１と同様な構成部分については、それぞれ同一符号を付して説明する。
【００２９】
まず、図５に示す配送用保冷容器Ａ２は、容器本体１の内壁面１ｂに、蓄冷体１０を間に挟んで、熱伝導性の極めて良好なアルミニウム板からなる熱伝導板１１を組み付けてなる。蓄冷体１０は、上述したと同様に樹脂製の中空容器内に液状蓄冷剤を封入したものであるが、これを薄箱板状に成形し、容器本体１内壁の左右側面および底面に沿うように断面コ形状に折り曲げて形成してなる。そして、この蓄冷体１０を、容器本体１内壁の左右側面および底面に張り付け、該蓄冷体１０の外表面に、同じく断面コ形状に曲げ成形した熱伝導板１１を重合させて一体化させてなる。
【００３０】
蓋体２は、上述したと同様に、枠板状の蓋本体３と、蓋本体３の上下に着脱自在に組み付ける上蓋４および下蓋５とで箱状に形成し、内部にドライアイスＤを収納する冷気供給室Ｓを設ける構成にするが、特に、下蓋５を、矩形のアルミニウム板からなる熱伝導板で形成してなる。そのため、蓋本体３の蓋受けリブ３ｄに、熱伝導板の外形状に合わせて段部３ｅを形成し、その段部３ｅに熱伝導板を嵌め込んで、下蓋５として形成してなる。
【００３１】
なお、この例の配送用保冷容器Ａ２では、容器本体１側における熱伝導板１１の上端部を、互いに対向する向きに屈曲させて折曲げ板部１１ａを形成し、容器本体１に蓋体２を被せたとき、下蓋５の熱伝導板と容器本体１側の熱伝導板１１とが接触する構造にしてある。これにより、下蓋５側の冷気が容器本体１側の熱伝導板１１へも伝わり、それだけ効率良く、容器本体１内の配送品Ｃを冷却できるようになっている。
【００３２】
よって、配送用保冷容器Ａ２では、配送品Ｃの集荷から配達までの輸送時間の間、ドライアイスＤから発生する冷気が、図５中矢印ａで示す如く、冷気供給室Ｓ内から下蓋の熱伝導板５を伝って下降し、容器本体１内へと送給される。併せて、容器本体１内では、上方の冷気供給室Ｓから冷気が降り注がれると同時に、蓄冷体１０から発生する冷気が、図５中矢印ｂで示す如く、熱伝導板１１を伝って三方から配送品Ｃに向けて送給される。したがって、配送用保冷容器Ａ２においても、配送途中の積替えや荷卸し作業時にたびたび常温下に曝されることがあっても、２４時間以上の長時間にわたり継続して所定保冷温度が維持される。
【００３３】
なお、配送用保冷容器Ａ２では、容器本体１内壁における左右側面および底面の３面にわたり蓄冷体１０および熱伝導板１１を設けたが、本発明は、それに限らず、前後側面にも設けたり、或いは、何処か２面又は１面に設けたりする構成を除外するものではない。蓄冷体１０および熱伝導板１１の設置位置は、保冷温度・保冷時間などの状況に応じて適宜選択的に考えられる。
【００３４】
次に、図６に示すが、配送用保冷容器Ａ３は、上記配送用保冷容器Ａ１に備える蓋体２の構成と、上記配送用保冷容器Ａ２に備える容器本体１の構成とを組み合せた構成になっている。この例の配送用保冷容器Ａ３でも、容器本体１側における熱伝導板１１の上端部に折曲げ板部１１ａを形成し、容器本体１に蓋体２を被せたとき、下蓋５の蓄冷体と容器本体１側の熱伝導板１１とが接触する構造にしてある。
【００３５】
したがって、この配送用保冷容器Ａ３では、配送品Ｃの集荷から配達までの輸送時間の間、ドライアイスＤだけでなく、蓄冷体（下蓋）５から発生する冷気が、直接下方へ送給されると共に、図６中矢印ａで示す如く、冷気供給室Ｓ内から通気用の開口６を通って下降し、容器本体１内へと送給される。併せて、容器本体１内では、上方の冷気供給室Ｓから冷気が降り注がれると同時に、蓄冷体１０から発生する冷気が、図６中矢印ｂで示す如く、熱伝導板１１を伝って三方から配送品Ｃに向けて送給される。したがって、配送用保冷容器Ａ３においては、配送途中の積替えや荷卸し作業時にたびたび常温下に曝されることがあっても、２４時間以上の長時間にわたり継続して所定保冷温度を、より一層確実に維持することができる。
【００３６】
なお、図６の配送用保冷容器Ａ３では、容器本体１内壁における左右側面および底面の３面に蓄冷体１０および熱伝導板１１をそれぞれ設けた。しかし、本発明では、たとえば図７に示すように、熱伝導板１１を同じ３面に設ける一方、蓄冷体１０は、底面にのみ設けるに留める構成にしてもよい。勿論、本発明では、配送用保冷容器Ａ３の例において、蓄冷体１０と熱伝導板１１とを、それぞれ容器本体１の内壁面において何処に設けるか、その組み合わせは、保冷温度・保冷時間などの状況に応じて適宜選択的に考えられる。
【００３７】
さて、図８に示すが、配送用保冷容器Ａ４は、容器本体１を、上記配送用保冷容器Ａ２・Ａ３に備えるものと同様に、内壁面に、蓄冷体１０を間に挟んでアルミニウム製の熱伝導板１１を組み付けた構成とする一方、蓋体２は、以上の図示例とは異なる構成になっている。
【００３８】
配送用保冷容器Ａ４において、蓋体２は、蓋本体３を上方開放型の矩形桶状に形成し、その蓋本体３の上開放部に上蓋４を被せて内部にドライアイスＤを収納する冷気供給室Ｓを設ける。そして、特に、蓋本体３と一体の下蓋部３ｆに、冷気供給室Ｓ内の冷気を容器本体１側へ送給する通気用の開口６を設けてなる。
【００３９】
したがって、配送用保冷容器Ａ４では、配送品Ｃの集荷から配達までの輸送時間の間、ドライアイスＤから発生する冷気が、図８中矢印ａで示す如く、冷気供給室Ｓ内から通気用の開口６を通って下降し、容器本体１内へと送給される。併せて、容器本体１内では、上方の冷気供給室Ｓから冷気が降り注がれると同時に、蓄冷体１０から発生する冷気が、図８中矢印ｂで示す如く熱伝導板１１を伝って配送品Ｃに向けて送給される。したがって、上述したと同様に、配送途中の積替えや荷卸し作業時にたびたび常温下に曝されることがあっても、２４時間以上の長時間にわたり継続して所定保冷温度を維持することができる。
【００４０】
なお、以上に示した配送用保冷容器は、たとえば図９に示すような断熱カバー１５を備え、該断熱カバー１５を被せて全体を覆った構成にすることが、保冷上好ましい。図示例の断熱カバー１５は、軟質な断熱性を有するポリエステル・塩化ビニール等の樹脂製で、箱形の容器形状に合わせて箱袋状につくられ、その角部にファスナー１６を取り付けて開閉可能に形成してなる。また、図中正面カバー部１５ａには、上カバー部１５ｂの止着用にマジックテープ（登録商標）１７を貼り付けている。なお、図中符号１８は、持ち運び用の取っ手である。したがって、図示例の配送用保冷容器では、断熱カバー１５で覆って、外気を二重に遮断して配送することにより、所定の保冷温度を、更に一層長い時間にわたって確実に保持することができる。
【００４１】
さて、上述した図示実施の形態では、配送用保冷容器において、全体を箱袋状断熱カバーで覆った構成にしたが、本発明は、以下の実施形態に示すように、硬質な剛性をもった樹脂製外装ケースで覆って補強した構成にするとこともできる。図１０〜図１９に、その他例の配送用保冷容器Ａ５の構成を示す。
【００４２】
図示他例の配送用保冷容器Ａ５は、図１０および図１１に示すように、容器本体２０に対する蓋体２１を、中蓋２２と上蓋２３とに分割し、それら中蓋２２および上蓋２３と容器本体２０を、いずれも発泡ポリプロピレン製の発泡断熱材２４・２５・２６と、それらと対応する外形状の外装ケース２７・２８・２９に嵌め付けて補強し且つ密閉性を高めた構造になっている。そして、周知蝶番構造をなすヒンジ手段３０で相互に連結して容器本体２０に対し中蓋２２を、中蓋２２に対し上蓋２３を個別に開閉自在に取り付けている。
【００４３】
容器本体２０は、発泡断熱材２４と外装ケース２７を、共に上方開放型の箱形状に一体成形してなる。一方の発泡断熱材２４は、図１２〜図１４でも示すように、上記図示例と同様に厚肉に形成し、上端面に凸条の係合リブ２４ａを枠状に連ねて設けるとともに、上端部を外向きに一段肉厚にし、そこに突当て段部２４ｂを形成している。一方、内壁面には、開口縁から底面に渡って多数の冷気ガイド溝２４ｃを設けている。さらに、同じ内壁面には、上から指が入る幅の配送品取り出し用凹部２４ｄを設けている。
【００４４】
容器本体２０の外装ケース２７は、上端部に突起を上向きに有する係合部２７ａを設けている。そして、外装ケース２７内に発泡断熱材２４を圧入して嵌め付け、図１に示すように容器本体２０を形成し、発泡断熱材２４と外装ケース２７の接合面間に、突当て段部２４ｂの高さだけ僅かな間隙を介在させ、そこに気密な空気層ｄを形成してなる。空気層ｄは、幅狭に形成し（例えば２〜３ｍｍ）、層内での対流を防いで断熱性を高める構造にしている。
【００４５】
蓋体２１の中蓋２２は、発泡断熱材２５と外装ケース２８を、共に矩形枠状に一体成形してなる。一方の発泡断熱材２５は、図１４および図１５に示すように、上記図示例と同様に厚肉に形成し、上端面の内縁に凸条の係合リブ２５ａを枠状に連ねて設ける一方、下端面に係合凹溝２５ｂを設けるとともに、内壁面の図中下縁に沿って凸状の板受けリブ２５ｃを設けてなる。そして、板受けリブ２５ｃ上に、図１５に示すように、アルミニウム製の熱伝導板３５を載せて組み付けてなる。熱伝導板３５には、冷気を通す多数の通気用穴を設けるようにしてもよい。
【００４６】
中蓋２２の外装ケース２８は、下端部に凹溝を下向きに有する係合部２８ａを設ける一方、上端部に凸条の係合突起２８ｂを設けている。そして、外装ケース２８内に発泡断熱材２５を圧入して嵌め付け、図１に示すように中蓋２２を形成する。
【００４７】
上蓋２３は、発泡断熱材２６を、図１４に示すように厚い矩形盤状に一体成形する一方、外装ケース２９を、図１６に示すように、発泡断熱材２６の形状に合わせて下方開放の矩形な薄箱状に一体成形してなる。発泡断熱材２６には、図中下面に、中蓋２２の発泡断熱材２５の係合リブ２５ａと対応する係合凹溝２６ａを設けている。外装ケース２９には、下端部の開口縁に、中蓋２２の外装ケース２８の係合突起２８ｂと対応する係合溝２９ａを設けている。そして、外装ケース２９内に発泡断熱材２６を圧入して嵌め付け、図１に示すように上蓋２３を形成する。
【００４８】
そこで、配送用保冷容器Ａ５は、使用状態において、容器本体２０に対し蓋体２１の中蓋２２をヒンジ手段３０を介して回動し、発泡断熱材２４・２５の係合リブ２４ａと係合凹溝２５ｂを係合させると共に、外装ケース２７・２８の係合部２７ａと係合部２８ａを凹凸の嵌め合いで係合させて被せる。また、中蓋２２に対し上蓋２３をヒンジ手段３０を介して回動し、発泡断熱材２５・２６の係合リブ２５ａと係合凹溝２６ａを係合させると共に、外装ケース２８・２９の係合突起２８ｂと係合溝２９ａを凹凸の嵌め合いで係合させて被せる。このとき、外装ケース２７・２８・２９間は、係合部２７ａと係合部２８ａ、係合突起２８ｂと係合溝２９ａをそれぞれ凹凸の嵌め合いで係合して結合するため、それだけケース強度を高くした状態で密閉性よく連結される。そして、容器本体２０および蓋体２１内を気密に密閉する一方、それら蓋体２１と容器本体２０間を熱伝導板３５で仕切って、蓋体２１内に、熱伝導板３５上にドライアイスＤを載せて収納する冷気供給室Ｓが形成される。
【００４９】
なお、配送用保冷容器Ａ５には、この使用状態において、ヒンジ手段３０と反対の正面側に、図１７に示すように、容器本体２０に対し中蓋２２を止める２つの留め具３９・３９と、中蓋２２に対し上蓋２３を止める同じ構造の留め具４０を装着している。
【００５０】
留め具３９・４０は、図示例では、たとえば黒色の樹脂製からなる上下一対の止め板片４１・４２を備えてなる。そのうち上止め板片４１は、図１８に示すように矩形な浅底キャップ状をなし、その一側に回転用軸部４１ａを有する一方、回転用軸部４１ａの反対側に凸片状のフック部４１ｂを設けている。他方の下止め板片４２は矩形板状をなし、その一側に回転用軸部４２ａを有すると共に、回転用軸部４２ａの両端近くに、一対の軸受凹部４２ｂを間隔をあけて設けている。そして、留め具３９・４０は、下止め板片４２の軸受凹部４２ｂに上止め板片４１の回転用軸部４１ａを着脱可能に嵌め込み、両止め板片４１・４２を互いに回転自在に連結した構造になっている。
【００５１】
一方で、留め具３０・４０を装着する側の外装ケース２７には、図１７に示すように、正面上側の図中左右に、長手方向に沿って軸嵌込み凹部２７ｂを有する横長な一対の掛止突起２７ｃ・２７ｃを設けている。中蓋２２の外装ケース２８には、掛止突起２７ｃと対応する位置に、それぞれ図中上側に掛止凹部２８ｃを有する一対の板状凸部２８ｄ・２８ｄを設け、さらに板状凸部２８ｄ間の中央上側に、長手方向に沿って軸嵌込み凹部２８ｅを有する掛止突起２８ｆを設けている。上蓋２３の外装ケース２９には、掛止突起２８ｆと対応する中央位置に、図中上側に掛止凹部２９ｂを有する板状凸部２９ｃを設けている。そして、留め具３９・３９は、それぞれ下止め板片４２の回転用軸部４２ａを掛止突起２７ｃの軸嵌込み凹部２７ｂに着脱自在に嵌め込み、容器本体２０に回転自在に取り付けている。留め具４０は、下止め板片４２の回転用軸部４２ａを掛止突起２８ｆの軸嵌込み凹部２８ｅに着脱自在に嵌め込み、中蓋２２に回転自在に取り付けている。なお、外装ケース２７〜２９には、留め具３９・４０を間に挟んだ両側に、図１１でも示すように、それら留め具の破損を防止するプロテクタ用の突状部４８を設けてなる。
【００５２】
そして、留め具３９・３９は、それぞれ上止め板片４１を板状凸部２８ｄに嵌着してフック部４１ｂを掛止凹部２８ｃに係合させて、容器本体２０に対し中蓋２２を被せた気密状態でロックする。留め具４０は、上止め板片４１を板状凸部２９ｃに嵌着してフック部４１ｂを掛止凹部２８ｂに係合させて、中蓋２２に対し上蓋２３を被せた気密状態でロックする。
【００５３】
そこで、上述した構成の配送用保冷容器Ａ５を用いて、配送品Ｃ、例えば贈答用のアイスクリームを宅配便にて配送する場合は、留め具４０の上止め板片４１を板状凸部２９ｃから外し、上蓋２３を回動して開き、図１に示すようにドライアイスＤを熱伝導板３５上に乗せて、冷気供給室Ｓ内に予め入れておく。ドライアイスＤは、そのコストに配慮して無駄な昇華を防止すべく、熱伝導板３５上で上下に重ねて接触状態で載置し、表面積を小さくした収納の仕方をするとよい。そして、上蓋２３を閉めて、留め具４０で中蓋２２に対し気密にロックする。
【００５４】
一方、集荷先では、留め具３９・３９の上止め板片４１を板状凸部２８ｄから外し、蓋体２１を回動して開き、配送品Ｃを容器本体１内に入れる。しかる後、蓋体２１を閉じて容器本体２０に被せ、留め具３９・３９で容器本体２０に対し気密にロックする。それから、容器本体２０を持って配送用保冷容器Ａ５を運ぶ。そして、輸送用車両に積載し、たとえば集荷作業店から適宜中継店・配達作業店へと継送して遠隔の届け先へと配送品Ｃを配達する。
【００５５】
このとき、配送用保冷容器Ａ５では、配送品Ｃの集荷から配達までの輸送時間の間、ドライアイスＤで発生する冷気が、図１中矢示する如く冷気供給室Ｓ内から熱伝導板３５を伝って下降し、容器本体２０内へと送給される。そのとき、容器本体２０の内壁面寄りでは、多数のガイド溝２４ａで冷気の下降を案内し、冷気が配送品Ｃの周りにムラなく注がれる。
【００５６】
しかも、容器本体２０内では、発泡断熱材２４と外装ケース２７間の空気層ｄによるコンデンサー効果によって外部からの熱の浸入を防いで冷熱を低温に保持し、高い保冷性能が維持されている。したがって、配送用保冷容器Ａ５では、配送途中の積替えや荷卸し作業時にたびたび常温下に曝されることがあっても、２４時間以上の長時間にわたり継続して所定保冷温度、例えば−２３℃或いはそれ以下の所定低温に維持することができる。
【００５７】
また、上述したと同様に、仮に届け先不在のため持ち戻り、保冷必要期間が更に延長された場合であっても、そのまま所定の保冷温度を保持することができる。このように保冷必要期間が延長された結果、例外的にドライアイスＤを補給する必要がある場合には、蓋体２１の上蓋２３だけを開けてドライアイスＤを入れる。そのとき、容器本体２０は開放されないため、冷気を逃がすことがなく、その結果、依然として所定の保冷温度は保持される。しかも、このドライアイス補給時に、やはり配送品Ｃには手を触れなくて済み、衛生的である。
【００５８】
ところで、上述した配送用保冷容器Ａ５では、輸送に係る配送品の種類に応じて異なる色の留め具を備えている。そして、輸送する配送品の種類に応じて異なる留め具を取り付けて、収納した配送品を識別する構成になっている。従って、上記図示例では、配送品Ｃがアイスクリームであることを識別する黒色の留め具３９・４０を装着したが、アイスクリームとは異なる種類の配送品を輸送する場合は、上記留め具３９・４０を取り外し、対応する異なる色の留め具に取り替ええる。これにより、留め具の色によって配送品の違いを一目で簡単に識別することができる。
【００５９】
また、上述した配送用保冷容器Ａ５では、留め具３９・４０をヒンジ手段３０と反対の正面側に装着したが、それに代えて、左右両側面に同様な留め具を装着して容器の密閉性と嵌付強度を高める構造にすることもできる。
【００６０】
また、上述した配送用保冷容器Ａ５において、ヒンジ手段３０は、たとえば図１９に示すような構成にすることが望ましい。図示例のヒンジ手段３０は、容器本体２０と中蓋２２および上蓋２３の外装ケース２７・２８・２９に、それぞれ紐掛け部４９を設ける一方、紐掛け部４９間に紐部材５０を掛け渡した構造にしている。紐部材５０としては、たとえば帯状体を用い、紐掛け部４９は、紐部材５０を挿通させる通し穴をあけて成形してなる。そして、紐部材５０は、一端を、上蓋２３の紐掛け部４９に弛ませた状態で環状に掛けてビス止めし、他端側は、中蓋２２及び容器本体２０の紐掛け部４９の各通し穴に通し、端縁を折り返してビスで止めて抜け止めしている。この紐部材５０によって容器本体２０と中蓋２２および上蓋２３を互いに回動可能に連結し、容器本体２０に対し蓋体２１を、中蓋２２に対し上蓋２３を開閉させる構造になっている。なお、紐掛け部４９は、紐通し穴を有する別途の紐掛け金具を用い、それを外装ケース２７・２８・２９に取り付けた構成にしてもよい。
【００６１】
従って、配送用保冷容器Ａ５では、ヒンジ手段３０が上述のように紐部材５０を用いたヒンジ構造であるため、容器本体２０に対し蓋体２１を被せるとき、また中蓋２２に対し上蓋２３を被せるときに、紐部材５０を弛ませた分だけ蓋体２１と上蓋２３を自由に動かせるので、発泡断熱材相互と外装ケース相互を互いの係合部で鉛直方向に緩みなく噛み合せることができ、これによって保冷容器として密閉性を高めることができる。また、紐部材５０が有する可撓性によって衝撃が吸収されやすく、それだけ通常の蝶番に比べて破損するおそれを少なくする。さらに、ヒンジ構造の出っ張り部分が少なくて済み、それだけ容器全体をコンパクトにする。
【００６２】
なお、以上の図示実施の形態では、いずれも外形が四角い箱状の配送用保冷容器を示して説明したが、本発明は、たとえば輸送対象の配送品に応じて、他の多角形の箱形や、円筒状の箱形など、そのほか各種の箱形状に形成する場合にも、当然適用することができる。さらに、本発明の配送用保冷容器には、配送用伝票などを貼り付けることがあるが、それら貼着材を剥がし易くするために、容器表面に一部シボ加工を施し、高さ１ｍｍ程度の突起を多数設ける構成にするとよい。
【００６３】
【発明の効果】上述のように構成した本発明によれば、次のような効果が得られる。
【００６４】
請求項１に記載の発明によれば、配送品の集荷から配達までの輸送時間の間、ドライアイスだけでなく蓄冷体の下蓋から発生する冷気が、直接下方へ送給されると共に、冷気供給室内から通気用の開口を通って下降し、容器本体内へと送給される構成であるため、配送途中の積替えや荷卸し作業時にたびたび常温下に曝されるようなことがあっても、長時間、継続して所定保冷温度を確実に維持することができる。その結果、たとえ届け先不在で持ち戻りによって保冷必要期間が延長される場合であっても、そのまま所定保冷温度を保持し続けることができる。
【００６５】
また、冷気供給室内で蓄冷体の下蓋上にドライアイスを載せて直接接触させた構成であるため、ドライアイスの冷熱が蓄冷体にも伝わって蓄冷体の冷蓄能力が随時高められ、その結果、たとえドライアイスが昇華した後であっても、未だ有効に蓄冷体単独でその冷蓄能力が発揮され、依然、配送品の保冷効果を保持することができる。しかも、それだけドライアイスを不必要に使用することが避けられ、その使用量を大幅に削減することができる。
【００６６】
更に、蓋体には、ドライアイスを収納する冷気供給室を形成してドライアイスと配送品とを隔離し、上方から送給する冷気で一律に容器本体内の配送品を保冷する構成であるため、従来の如くドライアイスが直接接触する箇所と接触しない箇所とで配送品に冷却ムラを生ずるなどの問題を起すことなく、均一に且つ適確に配送品を保冷することができる。
【００６７】
加えて、配達時に保冷必要期間がたびたび延長された結果、例外的にドライアイスを補給する必要がある場合でも、そのときは、単に蓋体の上蓋を開けてドライアイスを投入するだけ済む構成であるため、それだけ面倒なくドライアイスを簡単に補給することができる。しかも、このドライアイスの補給時、容器本体は開放されないため、配送品を外気に曝すことが避けられ、また容器本体内から冷気を逃がすこともなく、その結果、そのまま所定保冷温度を保持することができる。また、ドライアイスの補給時には、食材のような配送品に手を触れなくて済むため、衛生面でも有利である。さらに、配達時、届け先で配送品を手渡すとき、ドライアイスに対する防護用に手袋をいちいち装着する必要なく、配送品を簡単に取り出せるという効果を得ることもできる。
【００６８】
請求項２に記載の発明によれば、配送品の集荷から配達までの輸送時間の間、ドライアイスから発生する冷気が、冷気供給室内から下蓋の熱伝導板を伝って下降し、容器本体へと送給されると同時に、容器本体内で蓄冷体から発生する冷気が、熱伝導板を伝って配送品に向け送給される構成であるため、配送途中の積替えや荷卸し作業時にたびたび常温下に曝されることがあっても、さらに長時間にわたり継続して所定保冷温度を、より確実に維持することができる。加えて、下蓋をアルミニウム製の熱伝導板とし、上方からは、その冷熱の熱伝導を介して間接的に配送品に冷気を当てる構成であるため、容器本体内でドライアイスの冷気を直接当たらず、その悪影響なく良好に配送品を保冷することができる。
【００６９】
請求項３に記載の発明によれば、配送品の集荷から配達までの輸送時間の間、ドライアイスだけでなく蓄冷体の下蓋から発生する冷気が、直接下方へ送給されると共に、冷気供給室内から通気用の開口を通って下降し、容器本体１内へと送給されると同時に、容器本体内では、蓄冷体から発生する冷気が、熱伝導板を伝って配送品に向け送給される構成であるため、配送途中の積替えや荷卸し作業時にたびたび常温下に曝されることがあっても、さらに一層長時間にわたり継続して所定保冷温度を、より一層確実に維持することができる。
【００７０】
請求項４に記載の発明によれば、加えて、容器本体に蓋体を被せたとき、蓋体の上記下蓋と容器本体内の熱伝導板とが一部接触する構造であることから、下蓋側の冷気が容器本体側の熱伝導板へも伝わり、それだけ効率良く、容器本体内の配送品を冷却して保冷効果を向上させることができる。
【００７１】
請求項５に記載の発明によれば、断熱材からなる蓋体において、蓋本体と一体に下蓋部を形成し、その下蓋部に直接通気用の開口を設ける構成であるため、上述したとほぼ同様な保冷効果を得ることができると共に、それだけ蓋体の構成が簡略化され、その分コストを低減させることができる。
【００７２】
請求項６に記載の発明によれば、樹脂製の断熱カバーを備え、これを開閉可能に被せて全体を覆った構成にすることにより、配送時、外気を二重に遮断し、それだけ所定保冷温度を、更に一層長い時間にわたって確実に保持することができる。
【００７３】
請求項７に記載の発明によれば、配送品の集荷から配達までの輸送時間の間、ドライアイスで発生する冷気が、冷気供給室内から熱伝導板を伝って下降し、容器本体内へと送給され、しかも、容器本体内では、発泡断熱材と外装ケース間の空気層によるコンデンサー効果によって外部からの熱の浸入を防いで冷熱を低温に保持する構成であるため、配送途中の積替えや荷卸し作業時にたびたび常温下に曝されることがあっても、長時間にわたり継続して所定保冷温度を確実に維持することができる。その結果、たとえ届け先不在で持ち戻りによって保冷必要期間が更に延長された場合であっても、そのまま所定の保冷温度を保持することができる。このように保冷必要期間が延長された結果、例外的にドライアイスを補給する必要がある場合があっても、蓋体の上蓋だけを開けてドライアイスを入れることができ、そのとき、容器本体は開放されないため、冷気を逃がすことがなく、その結果、依然として所定の保冷温度を引続き保持することができる。しかも、このドライアイス補給時に、やはり食材などの配送品には手を触れなくて済み、衛生面でも有利である。
【００７４】
加えて、請求項７に記載の発明によれば、中蓋および上蓋と容器本体を、各々の発泡断熱材に対応する外形状の外装ケースに嵌め付けた構造であるため、外気を二重に遮断して密閉性が高まり、それだけ所定保冷温度を、更に一層長い時間にわたって確実に保持することができる一方、損傷を受け難くし、且つ衝撃に強い結果、耐久性を一層向上させることができる。
【００７５】
請求項８に記載の発明によれば、容器本体に対し蓋体を被せるとき、また中蓋に対し上蓋を被せるときに、紐部材を弛ませた分だけ蓋体と上蓋を自由に動かせるので、発泡断熱材相互と外装ケース相互を互いの係合部で鉛直方向に緩みなく噛み合せることができ、これによって保冷容器として密閉性を高めることができる。また、紐部材が有する可撓性によって衝撃が吸収されやすく、それだけ通常の蝶番に比べて破損するおそれを少なくすることができる。さらに、ヒンジ構造の出っ張り部分が少なくて済み、それだけ容器全体をコンパクトにすることができる。
【００７６】
請求項９に記載の発明によれば、冷気供給室内から容器本体内へ降り注がれる冷気をガイド溝でそのまま下向きに案内し、冷気を配送品の周りにムラなく送給することができ、それだけ効率良く、容器本体内で配送品を冷却して保冷効果を一層向上させることができる。
【００７７】
請求項１０に記載の発明によれば、輸送する配送品の種類に応じて異なる色の留め具に取り替えることにより、留め具によって、配送品を取り違えることなく一目で簡単に且つ確実に識別することができる。
【図面の簡単な説明】
【図１】本発明による配送用保冷容器の第１例を示す縦断面図である。
【図２】第１例の分解斜視図である。
【図３】第１例の配送用保冷容器を容器本体と蓋体とに分割して示す斜視図である。
【図４】第１例の組立外観斜視図である。
【図５】本発明による配送用保冷容器の第２例を示す縦断面図である。
【図６】第２例の変形例を示す縦断面図である。
【図７】本発明による配送用保冷容器の第３例を示す縦断面図である。
【図８】本発明による配送用保冷容器の第４例を示す縦断面図である。
【図９】本発明による配送用保冷容器の第５例を示す斜視図である。
【図１０】本発明による配送用保冷容器の第６例を示す縦断面図である。
【図１１】第６例の配送用保冷容器を示す外観斜視図である。
【図１２】容器本体を発泡断熱材と外装ケースに分割して示す縦断面図である。
【図１３】容器本体における発泡断熱材を示す斜視図である。
【図１４】容器本体と中蓋および上蓋の各発泡断熱材を分解して示す斜視図である。
【図１５】中蓋を発泡断熱材と外装ケースに分割して示す縦断面図である。
【図１６】上蓋を発泡断熱材と外装ケースに分割して示す縦断面図である。
【図１７】第６例の配送用保冷容器の留め具側を示す正面図である。
【図１８】留め具の斜視図である。
【図１９】第６例の配送用保冷容器のヒンジ側を示す背面図である。
【符号の説明】
１・２０　　　　　容器本体
２・２１　　　　　蓋体
３　　　　　　　　蓋本体
３ｆ　　　　　　　下蓋部
４・２３　　　　　上蓋
５　　　　　　　　下蓋（蓄冷体・熱伝導板）
６　　　　　　　　通気用の開口
１０　　　　　　　蓄冷体
１１・３５　　　　熱伝導板
１１ａ　　　　　　折曲げ板部
１５　　　　　　　断熱カバー
２２　　　　　　　中蓋
２４・２５・２６　発泡断熱材
２４ｃ　　　　　　ガイド溝
２７・２８・２９　外装ケース
３０　　　　　　　ヒンジ手段
３９・４０　　　　留め具
４９　　　　　　　紐掛け部
５０　　　　　　　紐部材
Ａ１〜Ａ５　　　　配送用保冷容器
Ｃ　　　　　　　　配送品
Ｄ　　　　　　　　ドライアイス
Ｓ　　　　　　　　冷気供給室
ｄ　　　　　　　　空気層（間隙）
【図１】
2004043020.tif 000003
【図２】
2004043020.tif 000004
【図３】
2004043020.tif 000005
【図４】
2004043020.tif 000006
【図５】
2004043020.tif 000007
【図６】
2004043020.tif 000008
【図７】
2004043020.tif 000009
【図８】
2004043020.tif 000010
【図９】
2004043020.tif 000011
【図１０】
2004043020.tif 000012
【図１１】
2004043020.tif 000013
【図１２】
2004043020.tif 000014
【図１３】
2004043020.tif 000015
【図１４】
2004043020.tif 000016
【図１５】
2004043020.tif 000017
【図１６】
2004043020.tif 000018
【図１７】
2004043020.tif 000019
【図１８】
2004043020.tif 000020
【図１９】
2004043020.tif 000021